(57)【要約】【課題】水質浄化性能を有する多孔質セラミックス球状体を収容して保持するための簡易で効率的かつ経済的な使い易い、更に固形塩素も提供可能な水に浮遊する装置を提供する。【解決手段】フロート１の下側に、それぞれ相対する位置に孔３を多数有する少なくとも２枚の板状体２を互いに離隔して着脱可能に設けてなる、水質浄化多孔質セラミックス球状体用浮遊装置である。孔３の直径を、水質浄化多孔質セラミックス球状体の直径より小さく、かつ、２枚の板状体２を水質浄化多孔質セラミックス球状体の直径より小さい間隔で配置して、２枚の板状体２間の相対する孔３の間に水質浄化多孔質セラミックス球状体を収容し保持しうるように構成した。【選択図】図１
0003180452.tif 000002
【実用新案登録請求の範囲】
【請求項１】
フロートの下側に、それぞれ相対する位置に孔を多数有する少なくとも２枚の板状体を互いに離隔して着脱可能に設けてなる、水質浄化多孔質セラミックス球状体用浮遊装置であって、
前記孔の直径が、水質浄化多孔質セラミックス球状体の直径より小さく、かつ、前記の２枚の板状体を水質浄化多孔質セラミックス球状体の直径より小さい間隔で配置して、２枚の板状体間の相対する孔の間に水質浄化多孔質セラミックス球状体を収容し保持しうるように構成したこと、を特徴とする前記水質浄化多孔質セラミックス球状体用浮遊装置。
【請求項２】
前記フロートが、固形塩素供給筒の収容部を有するフロートである、請求項１に記載の水質浄化多孔質セラミックス球状体用浮遊装置。
【請求項３】
前記フロートがドーナツ形中空体であり、前記板状体の外部形状が円盤状である、請求項１に記載の水質浄化多孔質セラミックス球状体用浮遊装置。
【考案の詳細な説明】
【技術分野】
【０００１】
本考案は、特定の酸化物などを含む塩素存在下で水質浄化性能を増大させる多孔質セラミックス球状体を収容して保持するための水に浮遊する装置である。
【背景技術】
【０００２】
従来、クーリングタワーなどにおいては節水のため水を循環使用しているが、長期間の循環水使用はレジオネラ菌などの発生や悪臭の増大、或いはスケール障害、スライム障害の生成などにより、安全衛生やエネルギー効率などの観点から問題となっている。
また従来、水道水などを貯留する受水槽を使用する病院などの大型施設においては、長期間の経時により配管に赤サビを生じたり、往々細菌や悪臭が発生するため、除菌、脱臭、防サビの更なる改善向上が求められている。
これらの種々の水設備や水質自体の改善のため、例えば、特定元素の酸化物を含む多孔質セラミックス球体を備えた水質浄化装置が提案されている（特許文献１参照）。
しかしながら、この水質浄化装置は、クーリングタワーに設置したものは、特許文献１の図４に示されているように、コンデンサー、水補給管、ストレーナー、水位検出フロート、送風機、ルーバーなどと共に大型の設備を形成しており、より簡易、効率的で安価な技術的対応が求められている。
【先行技術文献】
【特許文献】
【０００３】
【特許文献１】特開２０１０−５８１０６号公報
【考案の概要】
【考案が解決しようとする課題】
【０００４】
本考案は、塩素存在下で水質浄化性能を増大させる多孔質セラミックス球状体を収容して保持するための簡易で効率的かつ経済的な使い易い、更に固形塩素も提供可能な、水に浮遊する装置を提供することを目的とする。
【課題を解決するための手段】
【０００５】
前記目的を達成するため、本考案は、フロート１の下側に、それぞれ相対する位置に孔３を多数有する少なくとも２枚の板状体２を互いに離隔して着脱可能に設けてなる、水質浄化多孔質セラミックス球状体用浮遊装置であって、前記孔３の直径が、水質浄化多孔質セラミックス球状体の直径より小さく、かつ、前記の２枚の板状体２を水質浄化多孔質セラミックス球状体の直径より小さい間隔で配置して、２枚の板状体２間の相対する孔３の間に水質浄化多孔質セラミックス球状体を収容し保持しうるように構成したこと、を特徴とする前記水質浄化多孔質セラミックス球状体用浮遊装置である。
また本考案は、前記水質浄化多孔質セラミックス球状体用浮遊装置において、前記フロートが、固形塩素供給筒１１の収容部１０を有するフロートである。
更に本考案は、前記水質浄化多孔質セラミックス球状体用浮遊装置において、前記フロートがドーナツ形中空体であり、前記板状体の外部形状が円盤状である。
【考案の効果】
【０００６】
本考案により初めて、塩素存在下で水質浄化性能を増大させる多孔質セラミックス球状体を収容して保持するための簡易で効率的かつ経済的な使い易い、更に固形塩素も提供可能な、水に浮遊する装置を提供することが可能となった。
【図面の簡単な説明】
【０００７】
【図１】図１は、本考案の一実施例の水質浄化多孔質セラミックス球状体用浮遊装置の斜視図である。
【図２】図２は、図１の水質浄化多孔質セラミックス球状体用浮遊装置の分解斜視図である。
【考案を実施するための形態】
【０００８】
以下、本考案の一実施例を図面に基づいて説明する。
図１に示す本考案の一実施例の水質浄化多孔質セラミックス球状体用浮遊装置は、フロート１の下側に、それぞれ相対する位置に孔３を多数有する少なくとも２枚の板状体２を互いに離隔して着脱可能に設けてなる基本構成である。
【０００９】
フロート１は、本考案の水質浄化多孔質セラミックス球状体用浮遊装置に水質浄化多孔質セラミックス球状体を収容して保持し、場合により更に固形塩素供給筒１１を収容し搭載して、注水した水槽などに浮遊させる「浮き」であり、具体的にはプラスチック製の角張ったドーナツ形中空体（すなわち、中心部が（上下貫通した）円筒状中空の円盤中空体）である。
この円盤中空体の円筒状中空部（すなわち固形塩素供給筒１１の収容部１０）には、水中に少しずつ供給されて塩素を生成するトリクロロイソシアヌル酸などの固形塩素の供給筒１１を上方から挿入して収容する。固形塩素供給筒１１の下部には、水と接触して徐々に固形塩素を放出（供給）する穴が設けられている。
本考案の他の実施態様においては、水槽に固形塩素を供給する必要がない場合、固形塩素供給筒１１の収容部１０は設けられていない。
他の実施態様では、フロートの形状は、ラグビーボール形状である。
【００１０】
板状体２は２枚で一対をなし、４枚配置されている。本考案の水質浄化多孔質セラミックス球状体用浮遊装置においては、水質浄化多孔質セラミックス球状体を収容し保持するため、板状体２は少なくとも２枚配置されていればよい。具体的には、板状体２は、外周部にほぼ均等の間隔でフロート１を連結、収容するために、ボルト４をそれぞれ挿通させる６つの貫通孔７と、多数（数十個〜１００個位）の孔３が設けられた円盤である。孔３は、水質浄化多孔質セラミックス球状体を収容し保持することができるように、その直径が水質浄化多孔質セラミックス球状体の直径より小さく、かつ、２枚の板状体（円盤）２同士は、それぞれの孔３が相対（対向）して位置し、水質浄化多孔質セラミックス球状体の直径より小さい間隔で配置されている。この間隔は、２枚の板状体（円盤）２の間に、ボルト４に水質浄化多孔質セラミックス球状体の直径より長さの短い円管５を挿入して形成される。
【００１１】
すなわち、フロート１には、その下側に、４個の連結具８と６本のボルト４と１８個の短円管５と６個のナット６により、４枚の板状体（円盤）２が連結されている。具体的には、まず、４個の連結具８で内側にフロート１を収容し、連結具８のボルト穴９にボルト４を通し、更にこのボルト４に第１の板状体（円盤）２のボルト穴７、短円管５、第２の板状体（円盤）２のボルト穴７、短円管５、第３の板状体（円盤）２のボルト穴７、短円管５、第４の板状体（円盤）２のボルト穴７、短円管５、ナット６を順次挿通し連結する。この操作を更に３ヶ所繰り返して連結する。次いで、残り２本のボルト４を使用して、第１の板状体（円盤）２のボルト穴７、短円管５、第２の板状体（円盤）２のボルト穴７、短円管５、第３の板状体（円盤）２のボルト穴７、短円管５、第４の板状体（円盤）２のボルト穴７、短円管５、ナット６を順次挿通し連結して、本考案の水質浄化多孔質セラミックス球状体用浮遊装置を組み立てる。
分解は、この逆の手順で行う。
実際に使用する場合には、第２の板状体（円盤）２の各孔３のそれぞれの上に水質浄化多孔質セラミックス球状体を載せて前記手順で各部材を組み立てる。水質浄化多孔質セラミックス球状体を取り替える場合には、逆の手順で分解して水質浄化多孔質セラミックス球状体を取り除き、新しい水質浄化多孔質セラミックス球状体を使用して前記手順で再組み立てを行う。
本考案の他の実施態様では、ボルト４は、最も下位の板状体（円盤）２のボルト穴７（側）から各部材に前記の順序で連結具８のボルト穴９又は最も上位の板状体（円盤）２のボルト穴７まで挿通し、（最後にナット６で）連結して、本考案の水質浄化多孔質セラミックス球状体用浮遊装置を組み立ててもよい。
【００１２】
本考案の水質浄化多孔質セラミックス球状体用浮遊装置に収容し保持して注水水槽に浮遊させて使用する水質浄化多孔質セラミックス球状体としては、浄化する水や使用する水処理装置に応じて、各種の多孔質セラミックス球状体が挙げられる。
【００１３】
例えば、クーリングタワーの水槽の水質を浄化してスケール障害やスライム障害を抑制する場合に有効な多孔質セラミックス球状体としては、鉄、アルミニウム、珪素、チタン、ジルコニウム、コバルト、カリウム、マグネシウムの酸化物と、モリブデン、マンガン、ニッケル、銅、亜鉛、カドミウムの酸化物から選ばれる少なくとも１種を含む多孔質セラミックス球状体が挙げられる（特開２０１０−５８１０６号公報参照）。この多孔質セラミックス球状体は、具体的には例えば、酸化チタン２０質量％、酸化カルシウム１０質量％、酸化ジルコニウム１０質量％、酸化亜鉛１０質量％、酸化アルミニウム１０質量％、酸化第２鉄２０質量％、塩化第１鉄１０質量％、ゼオライト１０質量％を湿式で混合し造粒し、これを８０℃で１２時間乾燥し、更に１０ＭＰａで球状にプレス成形し、次いで１１５０〜１６００℃で２４時間焼成して、直径２５ｍｍの多孔質セラミックス球状体が製造される。この多孔質セラミックス球状体をクーリングタワーを水質浄化に使用することにより、スケールの排除、抑制ひいては水質の清浄が維持され、クーリングタワーの冷却効率の改善に優れていることが示されている。
クーリングタワーに使用される水には、往々塩素を含まない井戸水などが使用されることが多く、その場合には固形塩素などを供給して、本考案の装置に収容し保持した多孔質セラミックス球状体の触媒作用により水質浄化作用を発揮させる。
【００１４】
また例えば、病院、浴場、プールなどの塩素を含む水道水を使用する受水槽の水質を浄化して、配管の赤サビや細菌や悪臭の発生を改善（除去、防止）する場合に有効な多孔質セラミックス球状体としては、樹脂やガラスバインダーと共に、フェライト系に少なくとも磁性体や鉄、コバルト、チタン等の金属酸化物を焼結した複数の機能セラミックの粒体も挙げられる（特開２０００−６１２６６号公報参照）。
【００１５】
次に、本考案の水質浄化多孔質セラミックス球状体用浮遊装置の使用について説明する。
塩素を含む水道水の水槽に使用する場合は、除菌、脱臭、赤サビ抑制、スケール障害、スライム障害の改善などの目的に応じて選択した元素の酸化物などから製造した水質浄化多孔質セラミックス球状体を、前記の通り、本考案の水質浄化多孔質セラミックス球状体用浮遊装置に収容し保持させたものを所定期間、水槽に浮かべて使用する。
塩素を含まない井戸水などの水槽に使用する場合は、各種の目的に応じた水質浄化多孔質セラミックス球状体を本考案の水質浄化多孔質セラミックス球状体用浮遊装置に収容し保持させ、更に固形塩素供給筒１１をフロート１の収容部１０に設置して所定期間、水槽に浮かべて使用する。
所定期間経過後は、前記の通り、本考案の水質浄化多孔質セラミックス球状体用浮遊装置を分解して水質浄化多孔質セラミックス球状体や固形塩素供給筒を取り替えて、再使用に供する。
【符号の説明】
【００１６】
１  フロート
２  板状体（円盤）
３  板状体（円盤）の孔
４  ボルト
５  短円管
６  ナット
７  板状体（円盤）のボルト穴
８  連結具
９  連結具のボルト穴
１０  フロートの固形塩素供給筒収容部
１１  フロートの固形塩素供給筒
【図１】
0003180452.tif 000003
【図２】
0003180452.tif 000004